(57)【要約】【課題】骨折やその他の病気により体力の衰えたような犬が、飼い主の補助によって適度な運動を簡単に行うことができるリハビリ運動器具を提供する。【解決手段】フィン４１に形成した弾性布の根元部４３に、一側幅方向でベルト状の締結部４４と該締結部の表裏面の両方には着脱部材４６Ａを取り付けると共に、両側幅方向でベルト状の保持部４８と保持部４８の表裏面のいずれかには着脱部材を取り付ける。締結部４４と保持部４８によりフィン４１を犬の手足に取り付けて、犬を抱きかかえた状態で水泳運動をさせる。【選択図】図６
2005261418.tif 000002
【特許請求の範囲】
【請求項１】
全体を扇状に形成した弾性布の根元部に、両側幅方向でベルト状の締結部を複数並列して形成し、該締結部の先端の表裏面のいずれかには着脱部材を取り付けると共に、前記根元部より扇の周部方向に向かって複数の支持線部を放射状に形成したことを特徴とする犬用リハビリ運動具。
【請求項２】
前記支持線部は、前記弾性布を織り返して縫着し、前記弾性布の表面において隆起線状に形成したものであることを特徴とする請求項１に記載の犬用リハビリ運動具。
【請求項３】
前記支持線部は、前記弾性布の内部に複数本の支持線を挿入した後、縫着して形成したものであることを特徴とする請求項１乃至請求項２に記載の犬用リハビリ運動具。
【請求項４】
全体を扇状に形成した弾性布の根元部に、一側幅方向でベルト状の締結部と該締結部の表裏面の両方には着脱部材を取り付けると共に、両側幅方向でベルト状の保持部と該保持部の表裏面のいずれかには着脱部材を取り付けたことを特徴とする犬用リハビリ運動具。
【請求項５】
前記弾性布は、柔軟材、硬質材、メッシュ材の三層状より形成されていることを特徴とする請求項４に記載の犬用リハビリ運動具。
【請求項６】
前記弾性布は、ゴム材、合成樹脂材、金属材からなる一群の素材から選ばれるものを素材とするものであることを特徴とする請求項１乃至請求項５に記載の犬用リハビリ運動具。
【請求項７】
前記着脱部材は、面ファスナー、ホック、磁性体からなる一群の素材からなるものであることを特徴とする請求項１乃至請求項５に記載の犬用リハビリ運動具。
【発明の詳細な説明】
【技術分野】
【０００１】
本発明は、犬用のリハビリ運動具に関し、特に犬の手足に取り付けて、泳ぎ運動をさせるための運動器具に関する。
【背景技術】
【０００２】
従来、例えば、骨折や他の病気により手足を長い間使用できなかった人々が、病気後それらの部位のリハビリテーション用に使用する運動器具には種々のものが存在したが、番犬やペット用の犬がそのような病気をした後に、そのリハビリテーション用に使用する運動具はほとんど存在していなかった。
【発明の開示】
【発明が解決しようとする課題】
【０００３】
これは、人間がそのような運動具を使用する場合には、例えば、足を上方に上げて補助具を取付けて足を回転させるリハビリ運動など、通常の運動と異なる動き難い運動にも自己の意思力で使用するのに対し、犬の場合には、そもそも何のための運動具かの判別ができず、動き難い場合にはすぐ外そうとしてしまう。
【０００４】
すなわち、飼い主の補助があってもそのような運動具は犬に使用させ難く、強制的に運動させる大がかりな装置が必要となることが理由の一つに挙げられる。したがって、犬が骨折やその他の病気で長期間手足を使用できなかったような場合には、運動不足による著しい体力の衰えが生じてしまい、何の手段もないというのが実情であった。
【０００５】
本発明は、上記した問題点を解決するためのもので、簡単な構造であるが、骨折やその他の病気により体力の衰えたような犬が、飼い主の補助によって適度な運動を自然に行うことができるリハビリ運動具を提供することを目的とする。また、本発明は、運動不足により体力の衰えた犬や肥満気味の犬が、飼い主の補助により自宅等で手軽にエクスサイズをさせることができるリハビリ運動具を提供することを目的とする。
【課題を解決するための手段】
【０００６】
すなわち、請求項１に記載された本発明は、全体を扇状に形成した弾性布の根元部に、両側幅方向でベルト状の締結部を複数並列して形成し、該締結部の先端の表裏面のいずれかには着脱部材を取り付けると共に、前記根元部より扇の周部方向に向かって複数の支持線部を放射状に形成した犬用リハビリ運動具であることを特徴とする。請求項２に記載された本発明は、前記支持線部は、前記弾性布を織り返して縫着し、前記弾性布の表面において隆起線状に形成した請求項１乃至請求項２に記載の犬用リハビリ運動具であることを特徴とする。請求項３に記載された発明は、前記支持線部は、前記弾性布の内部に複数本の支持線を挿入した後、縫着して形成した請求項１乃至請求項２に記載の犬用リハビリ運動具であることを特徴とする。
【０００７】
また、請求項４に記載された発明は、全体を扇状に形成した弾性布の根元部に、一側幅方向でベルト状の締結部と該締結部の表裏面の両方には着脱部材を取り付けると共に、両側幅方向でベルト状の保持部と該保持部の表裏面のいずれかには着脱部材を取り付けた犬用リハビリ運動具であることを特徴とする。請求項５に記載された発明は、前記弾性布は、柔軟材、硬質材、メッシュ材の三層状より形成されている請求項４に記載の犬用リハビリ運動具であることを特徴とする。
【０００８】
請求項６に記載された発明は、前記弾性布は、ゴム材、合成樹脂材、金属材からなる一群の素材から選ばれるものを素材とするものである請求項１乃至請求項５に記載の犬用リハビリ運動具であることを特徴とする。請求項７に記載された発明は、前記着脱部材は、面ファスナー、ホック、磁性体からなる一群の素材からなる請求項１乃至請求項５に記載の犬用リハビリ運動具であることを特徴とする。
【発明の効果】
【０００９】
したがって、体力の衰えた犬に無理な運動負荷をかけずに、リハビリテーション運動をさせることができる。また、犬に適切とされる運動負荷に応じたリハビリ運動具を段階的に使用して、適切なリハビリ運動をさせることができる。
【発明を実施するための最良の形態】
【００１０】
以下、本発明に係る運動具の第１の実施形態を図面に基づき説明すると、図１は、リハビリ運動具１０の表面を示す説明図、図２は、リハビリ運動具１０の裏面を示す説明図、図３は、リハビリ運動具１０を犬の手足へ取り付けた状態を示す説明図、図４は、リハビリ運動具１０の使用状態を示す説明図である。
【００１１】
本発明に係るリハビリ運動具１０は、例えば、ウエットスーツなどに使用される極めて柔らかなゴム材を素材とする弾性布１２からなる。もちろん、その素材には特に限定はなく、例えば、ビニール、ナイロンなどの合成樹脂や、ブリキなどの金属材であっても、より大きな運動負荷を必要とするリハビリ運動具１０として使用できる。
【００１２】
弾性布１２は、全体が逆三角形の扇状からなるフィン１１を形成するもので、フィン１１の根元部１３の周部方向への開き角度には特に限定はないが、好ましくは約３０度から１２０度の範囲である。この開き角度の設定においても、犬がより大きな運動負荷を必要とする場合には大きな開き角度のリハビリ運動具１０とすれば良い。
【００１３】
フィン１１には、根元部１３が長手方向に延設された保持部１７と、さらに保持部１７の両側幅方向には２本の締結部１４が並列して形成されている。そして、締結部１４の表面と裏面のいずれか１面には、いわゆる面ファスナーのオス型１６Ａ、メス型１６Ｂがそれぞれ貼着されている。したがって、支持部１７を犬の手足に当てた状態において、締結部１４を犬の手足に巻きつける、さらに面ファスナー１６Ａ、１６Ｂを接着して、図３に示すように、リハビリ運動具１０を取り付けることができる。
【００１４】
もちろん、締結部の締結方法には特に限定がないから、面ファスナー以外にも、図５に示すようなリハビリ運道具３０における紐状の締結部３４、あるいはリハビリ運道具においてホックのオス型とメス型による締結部を形成しても良い。
【００１５】
なお、犬がより大きな運動負荷を必要とする場合のリハビリ運動具１０においては、より多数の締結部１４、例えば、３箇所以上の締結部を根元部に形成しておくことが好ましく、そのことで激しい運動によってもリハビリ運動具１０は犬の手足から外れることはない。
【００１６】
フィン１１には、根元部１３より周部１５方向で放射状に、弾性布１２の中央部を直線状に折り返し、その折り返し線を縫着することにより、３本の支持線部１６を隆起状に形成してある。もちろん、支持線部１６の本数に特に限定はなく、犬が必要とする運動負荷に応じて、より多数の支持線部１６を弾性布１２に形成する、あるいは、それぞれの支持線部１６は、フィン１１上で根元部１３より周部１５に向かって放射状に形成されている限り、必ずしも連続線とする必要はない。
【００１７】
なお、支持線部１６は、多層の素材から形成される弾性布１２では、その内側に、例えば、ピアノ線などの線材を複数本挿入して形成することもできる。あるいは、弾性布１２の素材によっては、図５に示すように、複数本の支持線３６を接着しても良い。
【００１８】
このような、リハビリ運動具１０の使用方法を説明すると、図４に示すように、骨折やその他の病気により体力が衰え、激しい運動ができない犬の腹部を抱きかかえ、水や湯を満たした浴槽に犬を水浴させる。すると、犬は泳ごうとして必死に自ら手足を動かす。この場合、犬の手足自体にはリハビリ運動具１０による運動負荷がかけられ、単なる水泳をするのとは異なる適度なリハビリ運動をさせることができ、したがって、無理のないリハビリ運動が可能となる。
【００１９】
また、犬にかなりの体力の回復がみられるような場合には、段階的に、負荷の大きいリハビリ運動具１０を使用する、また、犬専用プール等において犬自身に実際の水泳をさせることで、急速な体力の回復を図ることができる。
【００２０】
次に、本発明に係るリハビリ運動具の第２の実施形態を図面に基づき説明すると、図６は、リハビリ運動具４０の表面を示す説明図、図７は、リハビリ運動具４０の裏面を示す説明図、図８は、リハビリ運動具４０の取り付け方法を示す説明図、図９は、リハビリ運動具４０の取り付け状態を示す説明図、図１０は、その側面図である。
【００２１】
リハビリ運動具４０におけるフィン４１は、柔軟材５６、硬質材（図示せず。）、メッシュ材５８の３枚の布地の周部を縫合し、三層状の弾性布から成る。硬質材が中間層となることで、リハビリ運動具１０におけるフィン１１のような支持線部１６を形成することもなく、適度な抵抗を運動中の犬の手足に与えることができる。
【００２２】
柔軟材５６の素材としては、例えばウエットスーツなどに使用されるゴム材を、硬質材の素材としては、例えばビニール、ナイロンなどの合成樹脂を挙げることができる。なお、リハビリ運動具４０ではフィン４１の形状を略円形に形成してあるが、フィン１１と同様に略三角形としても良い。
【００２３】
フィン４１は、第三層にメッシュ材５８を使用している。したがって、水中で使用され、水分が内部に沁み込んでも、メッシュ材５８による水はけが随時行われる。したがって、多量の水分によりフィン４１が重くなることはなく、リハビリ運動には支障が生じない。
【００２４】
フィン４１の根元部４３の上方には一側幅方向で１本のベルト状の締結部４４と、その下方には両側幅方向で２本のベルト状の保持部４８が取り付けられている。締結部４４の表裏面の両方には互いに着脱可能な着脱部材、例えば、先端に面ファスナーのオス型４６Ａ、全体にメス型４６Ｂが取り付けられている。そして、締結部４４の長さは、十分なもので、犬の手足６２の関節６０に巻きつけながら根元部４３を一回りして、面ファスナー４６Ａのオス型が面ファスナーのメス型４６Ｂに接着することができる。すなわち、リハビリ運動具４０は、締結部４４が一回りしつつ関節６０を締結するため、負傷した手足にも負担をかけないように強度の調整ができる。
【００２５】
２本のベルト状の保持部４８には、その表裏面に互いに着脱可能な着脱部材、例えば、一方の先端に面ファスナーのオス型５４Ａ、他方の全面に面ファスナーのメス型５４Ｂが取り付けられている。保持部４８は、犬の手足６２の大きさに応じてオス型５４Ａをメス型５４Ｂの所望の位置に接着する。この場合に、保持部４８は、犬の手足を保持するループを形成すると共にフィン４１も内側に湾曲し、図１０に示すようないわゆるカップ形状となる。
【００２６】
保持部４８の位置に特別な限定はないが、フィン４１の上方２分の１以上の位置であることが望ましい。あまりに下方に取り付けるとフィン４１は大きく湾曲したカップ形状となり、その抵抗が大きくなり過ぎて、犬によっては水泳運動が多大な負担となるからである。
【００２７】
なお、リハビリ運動具４０の使用方法は、リハビリ運動具１０と同様であるので、ここでは説明を省略する。
【００２８】
本発明は上記実施の形態に限定されず、種々変形して実施することができる。例えば、扇の細部形状、支持線部の形状、弾性布の素材、着脱部材の素材については、一形態を示めしたものに過ぎず、本発明の範囲を逸脱しない限りにおいて適宜変更して実施することが可能である。
【００２９】
本発明に係るリハビリ運動具によれば、骨折やその他の病気により体力の衰えた犬に、適度な運動負荷を与えながら泳ぎ運動をさせることで、従来不可能であった犬のリハビリ運動をさせることができる。また、大がかりな装置を必要とせず、犬の健康状態に応じて段階的なリハビリ運動をさせることも可能で、自然な体力回復をさせることができる。
【図面の簡単な説明】
【００３０】
【図１】リハビリ運動具１０の表面を示す説明図である。
【図２】リハビリ運動具１０の裏面を示す説明図である。
【図３】リハビリ運動具１０を犬の手足へ取り付けた状態を示す説明図である。
【図４】リハビリ運動具１０の使用状態を示す説明図である。
【図５】リハビリ運動具３０を示す説明図である。
【図６】リハビリ運動具４０の表面を示す説明図である。
【図７】リハビリ運動具４０の裏面を示す説明図である。
【図８】リハビリ運動具４０の取り付け方法を示す説明図である。
【図９】リハビリ運動具４０の取り付け状態を示す説明図である。
【図１０】リハビリ運動具４０の取り付け状態を示す側面図である。
【符号の説明】
【００３１】
１０  リハビリ運動具
１１  フィン
１２  弾性布
１３  根元部
１４  締結部
１５  周部
１６  支持線部
１６Ａ  オス型
１６Ｂ  メス型
１７  保持部
２０  犬
２２  犬の手足
３０  リハビリ運動具
３２  弾性布
３３  根元部
３４  締結部
３６  支持線部
４０  リハビリ運動具
４１  フィン
４３  根元部
４４  締結部
４６Ａ  オス型
４６Ｂ  メス型
４８  保持部
５６  柔軟材
５８  メッシュ材
６０  関節
６２  手足
【図１】
2005261418.tif 000003
【図２】
2005261418.tif 000004
【図３】
2005261418.tif 000005
【図４】
2005261418.tif 000006
【図５】
2005261418.tif 000007
【図６】
2005261418.tif 000008
【図７】
2005261418.tif 000009
【図８】
2005261418.tif 000010
【図９】
2005261418.tif 000011
【図１０】
2005261418.tif 000012